(57)【要約】【課題】配線接続が不要な無線タグを利用し、使用者が意図的にスイッチ操作しない限りは吐水することのない水栓具の提供を目的とする。【解決手段】元止め式のホース付き吐水口を有する水栓具において、水栓具（シャワーヘッド）本体１Ａにホース６の元側の開閉弁７を操作するための無線タグ２を配置する。そして、この無線タグ２を、無線電波を受信するアンテナ１０と、無線電波を受信して電源の供給を受け、この電源を利用してデータをアンテナ１０から送信するタグＩＣ１１と、データの送信をＯＮ／ＯＦＦ制御するスイッチ１２とで構成する。【選択図】  図１
2005146551.tif 000002
【特許請求の範囲】
【請求項１】
元止め式のホース付き吐水口を有する水栓具において、水栓具本体にホース元側の開閉弁を操作する無線タグを配置して成り、該無線タグは、無線電波を受信するアンテナと、無線電波を受信して電源の供給を受け、この電源を利用してデータをアンテナから送信するタグＩＣと、データの送信をＯＮ／ＯＦＦ制御するスイッチとで構成されていることを特徴とする無線タグを利用した水栓具。
【請求項２】
元止め式のホース付き吐水口を有する水栓具において、水栓具本体に、ホース元側の開閉弁を操作する操作用の無線タグと、水栓具の係止状態を検知するための無線タグと、人体を検知してホース元側の開閉弁を操作する人体検知スイッチとを配置して成り、前記二つの無線タグは、無線電波を受信するアンテナと、無線電波を受信して電源の供給を受け、この電源を利用してデータをアンテナから送信するタグＩＣと、データの送信をＯＮ／ＯＦＦ制御するスイッチとで構成されており、前記係止状態検知用の無線タグは水栓具が係止具から取り外されると人体検知スイッチの機能を停止することを特徴とする無線タグを利用した水栓具。
【発明の詳細な説明】
【技術分野】
【０００１】
本発明は、元止め式のホース付き吐水口を有するシャワーヘッド等の水栓具において、ホース元側の開閉弁の開閉操作を、無線電波（ここでは電磁波を含む、以下同じ）を受信して電源の供給を受け、この電源を利用してデータをアンテナから送信するようにした無線タグを利用して行うようにした技術に関するものである。
【背景技術】
【０００２】
元止め式のホース付き吐水口を有するシャワーヘッドの技術としては、特許文献１に記載されたものが公知である。この特許文献１の技術は、シャワーヘッドの把持部の背面側に、受光部を有する信号発生部を設け、これを制御部に光ファイバーで連絡している。制御部は、ホース元側の開閉弁を開閉制御するようになっている。
【０００３】
シャワーヘッドが係止具（シャワーフック）に係止されている状態では、係止具によって受光部が遮られることになり、自然光や浴室内照明等の光が受光部で受光されなくなる。そのため、信号発生部から制御部へ送信される光信号が受光部において遮断され、開閉弁は閉となって止水のままとなる。
これに対して、係止具からシャワーヘッドを取り外すと、受光部が開放され、制御部へ光信号が送られて開閉弁が開へ操作される。これにより、シャワーヘッドの吐水口から吐水が行われる。またシャワーヘッドの把持部を握って係止具から取り外した場合において、使用者の手によって受光部が遮られる。そのため、開閉弁は閉となって止水となる。
【特許文献１】実開平４−７７３９３号公報
【発明の開示】
【発明が解決しようとする課題】
【０００４】
このように、前記特許文献１に記載された発明にあっては、シャワーヘッドが係止具に係止されているか又は使用者が把持部を把持している場合には、受光部が遮蔽されるので開閉弁は閉であり、シャワー水が吐水されることはない。ところが、使用者がシャワーヘッドの把持部以外の先端部等を掴んで係止具から取り外した場合には、受光部が使用者の手によって遮蔽されなくなり、開閉弁が開となって、吐水口からシャワー水が不意に吐出されるという問題があった。
この問題はシャワーヘッドが洗面化粧台等において、吐水用の水栓を兼用するものとして利用される場合には、シャワーヘッドを取り出したときに不意に衣服等を濡らす事態になり、特に問題であった。
【０００５】
本発明は従来の前記課題に鑑みてこれを改良除去したものであって、配線接続が不要な無線タグを利用し、使用者が意図的にスイッチ操作しない限りは吐水することのない水栓具を提供せんとするものである。
【課題を解決するための手段】
【０００６】
而して、前記課題を解決するために本発明が採用した請求項１の手段は、元止め式のホース付き吐水口を有する水栓具において、水栓具本体にホース元側の開閉弁を操作する無線タグを配置して成り、該無線タグは、無線電波を受信するアンテナと、無線電波を受信して電源の供給を受け、この電源を利用してデータをアンテナから送信するタグＩＣと、データの送信をＯＮ／ＯＦＦ制御するスイッチとで構成されていることを特徴とする無線タグを利用した水栓具である。
【０００７】
本発明が採用した請求項２の手段は、元止め式のホース付き吐水口を有する水栓具において、水栓具本体に、ホース元側の開閉弁を操作する操作用の無線タグと、水栓具の係止状態を検知するための無線タグと、人体を検知してホース元側の開閉弁を操作する人体検知スイッチとを配置して成り、前記二つの無線タグは、無線電波を受信するアンテナと、無線電波を受信して電源の供給を受け、この電源を利用してデータをアンテナから送信するタグＩＣと、データの送信をＯＮ／ＯＦＦ制御するスイッチとで構成されており、前記係止状態検知用の無線タグは水栓具が係止具から取り外されると人体検知スイッチの機能を停止することを特徴とする無線タグを利用した水栓具である。
【発明の効果】
【０００８】
請求項１の発明にあっては、使用者が無線タグのスイッチをＯＮ動作させると、アンテナ回路が形成され、当該アンテナがリーダ側から発信された無線電波を受信する。これにより、タグＩＣに電源が供給され、当該電源を利用してタグＩＣに保存されていたデータがアンテナを通じて送信される。送信されたデータは、リーダ側のアンテナに受信され、制御回路を介してホース元側の開閉弁を開にし、吐水を開始する。
このように、本発明にあっては、使用者がスイッチ操作をしない限り、開閉弁が開となることがなく、水栓具をその係止具から取り外しただけで、吐水されて衣服や床を濡らす等のことがない。
また無線タグは、無線電波を利用して電源の供給を受け、データを送信するようになっており、電源及び配線が不要である。
【０００９】
請求項２の発明にあっては、水栓具が係止具に係止されている状態では、これを検知する無線タグが人体検知スイッチを使用可能な状態に維持する。そのため、使用者が手などの人体の一部を吐水口の下方へ差し出す等により、人体検知スイッチが開閉弁を開にすべく、ＯＮ動作する。これにより、吐水が開始される。またこの水栓具が係止具に係止されている状態で、開閉弁操作用の無線タグのスイッチをＯＮ動作させると、請求項１の発明の場合と同じように、無線電波による開閉弁の操作ができ、吐水が得られる。
【００１０】
一方、水栓具が係止具から取り外された状態では、係止状態検知用の無線タグがこれを検知して人体検知スイッチの機能を停止する。そのため、水栓具をフック等の係止具から取り外しても不意に吐水が開始されるようなことはない。この場合は、開閉弁操作用の無線タグのスイッチを使用者がＯＮにすることによって、開閉弁がＯＮとなり、吐水が開始される。
【発明を実施するための最良の形態】
【００１１】
以下に、本発明の構成を図面に示す発明の実施の形態に基づいて説明すると次の通りである。図１及び図２は本発明の第１の実施の形態に係るものであり、図１は浴室に設置したシャワーヘッド１の給湯機構を示す縦断面側面図、図２はは無線タグ２の電気回路構成を示す図面である。図１に示す如く、この実施の形態のシャワーヘッド１は、壁面３に固定された係止具４に係脱自在になされており、係止したままの使用、手で持った状態での使用が選択的に行えるようになっている。シャワーヘッド１は、先端に吐水口５を有し、ホース６及び電磁式の開閉弁７を介して湯水混合水栓８に連通接続されている。図１において、符号９は、浴室内に設置された湯水混合水栓８の温度設定装置である。
【００１２】
またシャワーヘッド１の本体１Ａの上部正面側には、無線タグ２が組み込み方式、貼付方式等の方法により取り付けられている。無線タグ２は、図２に示すように、無線電波を受信するアンテナ１０と、無線電波を受信して電源の供給を受け、この電源を利用してデータをアンテナ１０から送信する無線タグＩＣ１１と、当該無線タグＩＣ１１のデータの送信をＯＮ／ＯＦＦ制御するスイッチ１２とからなる。スイッチ１２は、二つの電極を指（身体の一部）で触ることによりＯＮ動作するようなものや、機械的なリミットスイッチであってもよく、あるいは静電容量センサーであってもよい。静電容量センサーである場合は、指先でセンサーをタッチすればよい。
【００１３】
一方、壁面３には、前記無線タグ２との送受信を行うためのリーダ装置１３が埋め込まれている。該リーダ装置１３は、ホース元側の開閉弁７を開閉制御する機能を有するソレノイド装置１４に信号出力するようになっている。
【００１４】
次に、このように構成されたシャワーヘッド１の使用態様を説明する。シャワーヘッド１を係止具４へ係止したままの状態で、あるいは手で持った状態でシャワー吐水を行いたい場合は、シャワーヘッド本体１Ａに設けた無線タグ２のスイッチ１２をタッチする等によりＯＮ動作させればよい。これにより、リーダ装置１３のアンテナ（図示せず）から送信されている無線電波を、無線タグＩＣ１１のアンテナ１０が受信し、無線タグＩＣ１１内部の電圧回路に動作ようの電圧を発生させるようになる。
【００１５】
またスイッチ１２がＯＮになったことにより、無線タグＩＣ１１に記憶されているデータが無線通信インターフエイスを通じてアンテナ１０からリーダ装置１３側のアンテナを経てリーダ装置１３側へ取り込まれる。リーダ装置１３は、送信されたデータに応じた設定動作を行う。この場合、開閉弁７のソレノイド装置１４へ開動作信号を送信する。ソレノイド装置１４は、開閉弁７を開にする。これにより、湯水混合水栓８で所定温度に調節された温水が開閉弁７からホース６を通じてシャワーヘッド１に供給され、吐水口５から吐出される。
【００１６】
止水したい場合は、無線タグ２のスイッチ１２から指を放す等してＯＦＦ動作させればよい。また別途フリップ・フロップ回路を付加する等により、操作したスイッチ状態を維持するようにし、最初にスイッチ１２を押すとＯＮとなってそのまま維持され、次にスイッチ１２を押すとＯＦＦとなってＯＦＦの状態が維持されるようなものであってもよい。更に、無線タグ２を、図３に示すように、三個準備し、それぞれに操作を可能な状態にする動作用のもの、吐水用のもの、止水用のもののように機能を別けたリモコンタイプとすることも可能である。
【００１７】
このように本実施の形態では、シャワーヘッド１側の無線タグ２と、リーダ装置１３側とは、無線インターフエイスを通じて電源の供給を受け、また開閉弁７の制御用の信号のやりとりを行うことができる。そのため、前記無線タグ２に電源を供給するための配線及びその信号を出力するための配線が不要である。
【００１８】
図４は本発明の第２の実施の形態に係るシャワーヘッド１５の給湯機構を示す縦断面側面図である。同図に示す如く、この実施の形態では、図１に示す無線タグ２に加えて、シャワーヘッド本体１５Ａの係止状態を検知するための無線タグ１６と、人体検知スイッチ１７とをシャワーヘッド本体１５Ａに取り付けている。人体検知スイッチ１７は、赤外線センサ等であり、シャワーヘッド本体１５Ａ及びホース６の配管内を通じて配線され、信号制御器１８へ接続されている。また係止具４の近くの壁面３には、無線タグ１６のリーダ装置１９が埋め込まれている。このリーダ装置１９は、前記信号制御器１８へ信号を出力し、制御器１８は開閉弁７のソレノイド装置１４へ信号を出力し、これを制御するようになっている。その他の構成並びに雨滴を検知する動作態様は前記第１の実施の形態の場合と同じである。
【００１９】
次に、シャワーヘッド１５の使用態様を説明する。シャワーヘッド１５が係止具４に係止された図４に示す状態では、無線タグ２及び人体検知スイッチ１７の両方が動作可能な状態にある。そのため、シャワーヘッド１５の吐水口５の下方へ使用者が手を差し出すと、人体検知スイッチ１７がこれを検知してＯＮ出力し、信号制御器１８を介してソレノイド装置１４へ開閉弁７を開動作させる信号を出力する。これにより、湯水混合水栓８で所定の温度に調節された温水が開閉弁７、ホース６からシャワーヘッド１５へ流入し、吐水口５から吐水されることになる。
【００２０】
一方、シャワーヘッド本体１５Ａを係止具４から取り外すと、無線タグ１６のスイッチ１２がＯＮとなり、無線ＩＣタグ１１内のデータをアンテナ１０を介してリーダ装置１９へ送信する。リーダ装置１９は、当該データを信号制御器１８へ出力し、これをＯＦＦ動作させる。これにより、人体検知スイッチ１７の機能が停止する。すなわち、シャワーヘッド本体１５Ａを係止具４から取り外すと、無線タグ１６がこれを検知し、人体検知スイッチ１７の機能を停止するので、係止具４からシャワーヘッド本体１５Ａが離れた直後に吐水が開始されることを確実に防止でき、衣服や床等を濡らす等の事故がない。
シャワーヘッド本体１５Ａを係止具４から取り外した状態では、前記第１の実施の形態の場合と同じように、無線タグ２を通じてシャワー吐水を制御を行えばよい。
【００２１】
ところで、本発明は上述した実施の形態に限定されるものではなく、適宜の変更が可能である。例えば、水栓具として浴室の壁面へ設置したシャワーヘッドの場合を説明したが、洗面化粧台のシャワーと吐水との切り換えが可能なホース付きの水栓具へ適用することも可能であり、その他の水栓具の吐水切換装置として利用することが可能である。
【図面の簡単な説明】
【００２２】
【図１】本発明の第１の実施の形態に係るシャワーヘッドの給湯機構を示す浴室壁面を縦断面した側面図である。
【図２】本発明の第１の実施の形態に係る無線タグの電気回路図である。
【図３】本発明の第１の実施の形態に係るものであり、無線タグを三個並設した変形例を示す回路図である。
【図４】本発明の第１の実施の形態に係るシャワーヘッドの給湯機構を示す浴室壁面を縦断面した側面図である。
【符号の説明】
【００２３】
１…シャワーヘッド、１Ａ…シャワーヘッド本体、２…開閉弁制御用の無線タグ、３…  壁面、４…係止具、５…吐水口、６…ホース、７…開閉弁、１０…アンテナ、１１…無  線タグＩＣ、１２…スイッチ、１３…リーダ側装置、１４…ソレノイド装置、１５…シ  ャワーヘッド、１５Ａ…シャワーヘッド本体、１６…係止状態検知用の無線タグ、１７  …人体検知スイッチ、１８…信号制御器、１９…リーダ側装置
【図１】
2005146551.tif 000003
【図２】
2005146551.tif 000004
【図３】
2005146551.tif 000005
【図４】
2005146551.tif 000006